(57)【要約】【課題】複数の再生装置を含む再生装置群における広告コンテンツの再生方法を適切に制御することができる広告再生制御装置を提供する。【解決手段】広告再生制御装置は、広告コンテンツを受信する受信部と、前記広告コンテンツを受信すると、前記再生装置群に含まれる一部または全部の再生装置について、その動作状態を示す動作情報を取得する取得部と、前記動作情報に基づいて、前記再生装置群における前記広告コンテンツの再生方法を決定する制御部と、決定された前記再生方法に基づいて、前記広告コンテンツを前記再生装置群に含まれる前記再生装置に送信する送信部と、を備える。【選択図】図２
2013090191.tif 000002
【特許請求の範囲】
【請求項１】
複数の再生装置を含む再生装置群における広告コンテンツの再生方法を制御する広告再生装置であって、
前記広告コンテンツを受信する受信部と、
前記広告コンテンツを受信すると、前記再生装置群に含まれる一部または全部の再生装置について、その動作状態を示す動作情報を取得する取得部と、
前記動作情報に基づいて、前記再生装置群における前記広告コンテンツの再生方法を決定する制御部と、
決定された前記再生方法に基づいて、前記広告コンテンツを前記再生装置群に含まれる前記再生装置に送信する送信部と、を備えていることを特徴とする広告再生制御装置。
【請求項２】
前記制御部は、前記動作情報に基づいて、前記広告コンテンツを再生させる前記再生装置を前記再生装置群から決定する請求項１に記載の広告再生制御装置。
【請求項３】
前記制御部は、前記広告コンテンツおよび前記動作情報に基づいて、前記広告コンテンツを再生させる前記再生装置を前記再生装置群から決定する請求項２に記載の広告再生制御装置。
【請求項４】
前記制御部は、前記広告コンテンツに基づいて、当該広告コンテンツを再生させる前記再生装置を前記再生装置群から決定し、決定した前記再生装置の動作情報に基づいて、前記広告コンテンツを送信する時期を決定する請求項３に記載の広告再生制御装置。
【請求項５】
前記広告コンテンツを蓄積する蓄積部をさらに備え、
前記制御部は、決定した前記再生装置の前記動作情報に基づいて、当該再生装置が映像再生可能な状態にあるか否かを判別し、前記再生装置が映像再生可能な状態にある場合、前記再生装置への前記広告コンテンツの送信を前記送信部に行わせ、前記再生装置が映像再生可能な状態にない場合、前記蓄積部に蓄積する請求項４に記載の広告再生制御装置。
【請求項６】
前記制御部は、前記広告コンテンツに基づいて、当該広告コンテンツを再生させる前記再生装置の候補を前記再生装置群から決定し、決定した候補の前記動作情報に基づいて、当該候補が映像再生可能な状態にあるか否かを判別し、前記候補が映像再生可能な状態にある場合、前記広告コンテンツを再生させる前記再生装置に前記候補を決定し、前記候補が映像再生可能な状態にない場合、前記広告コンテンツを再生させる前記再生装置に、前記再生装置群に含まれる前記候補以外の前記再生装置を決定する請求項３〜５のいずれか１項に記載の広告再生制御装置。
【発明の詳細な説明】
【技術分野】
【０００１】
本発明は、複数の再生装置を含む再生装置群における広告コンテンツの再生方法を制御する広告再生制御装置に関する。
【背景技術】
【０００２】
近年、テレビ等のＡＶ家電機器やパソコンを相互に接続することでホームネットワークを構築し、相互にデータや映像コンテンツ等を共有することが行われている（例えば、特許文献１参照）。このようなホームネットワークは、ＩＰ放送等の映像コンテンツをインターネットを介して取得することができる。
【先行技術文献】
【特許文献】
【０００３】
【特許文献１】特開２０１１−１００８４号公報
【発明の概要】
【発明が解決しようとする課題】
【０００４】
上記ホームネットワークにおいては、各機器の要求に対してＩＰ放送局等から配信されたコンテンツをホームゲートウェイが各機器に転送するほか、各機器からの要求によらずＩＰ放送局等から放送されたりプッシュ配信されたコンテンツを各機器に転送する場合がある。
【０００５】
しかし、ホームネットワーク内の各機器について広告コンテンツ配信時の動作状態等を配信側が詳細に把握することは困難であり、広告コンテンツが適当に再生されないかもしれない。例えば広告ストリームが所定時刻に配信されたとき、対象となる機器が動作していなかったためにホームゲートウェイが当該ストリームを破棄すると、他に動作している機器があっても、広告ストリームはユーザに視聴されなくなってしまう。
【０００６】
本発明はこのような事情に鑑みてなされたものであり、複数の再生装置を含む再生装置群における広告コンテンツの再生方法を適切に制御することができる広告再生制御装置を提供することを目的とする。
【課題を解決するための手段】
【０００７】
（１）本発明は、複数の再生装置を含む再生装置群における広告コンテンツの再生方法を制御する広告再生装置であって、前記広告コンテンツを受信する受信部と、前記広告コンテンツを受信すると、前記再生装置群に含まれる一部または全部の再生装置について、その動作状態を示す動作情報を取得する取得部と、前記動作情報に基づいて、前記再生装置群における前記広告コンテンツの再生方法を決定する制御部と、決定された前記再生方法に基づいて、前記広告コンテンツを前記再生装置群に含まれる前記再生装置に送信する送信部と、を備えていることを特徴としている。
【０００８】
上記のように構成された広告再生制御装置によれば、再生装置群に含まれる再生装置からその動作情報を取得し、動作情報に基づいて再生装置群における広告コンテンツの再生方法を決定するため、当該広告コンテンツを再生装置群において適切に再生することができる。
【０００９】
（２）上記広告再生制御装置において、前記制御部は、前記動作情報に基づいて、前記広告コンテンツを再生させる前記再生装置を前記再生装置群から決定することができる。これにより、例えば当該広告コンテンツがストリームであったり、配信期間が限られていたりする場合でも、適当な再生装置に広告コンテンツを再生させることが可能となる。
【００１０】
（３）前記制御部は、前記広告コンテンツおよび前記動作情報に基づいて、前記広告コンテンツを再生させる前記再生装置を前記再生装置群から決定することができる。これにより、動作情報に加えて広告コンテンツに基づいて広告コンテンツを再生させる再生装置を決定するため、より広告にあった再生装置に広告コンテンツを再生させることが可能となる。
【００１１】
（４）前記制御部は、前記広告コンテンツに基づいて、当該広告コンテンツを再生させる前記再生装置を前記再生装置群から決定し、決定した前記再生装置の動作情報に基づいて、前記広告コンテンツを送信する時期を決定するようにしてもよい。これにより、広告にあった再生装置に適切な時期に広告コンテンツを再生させることが可能となる。
【００１２】
（５）前記広告コンテンツを蓄積する蓄積部をさらに備え、前記制御部は、決定した前記再生装置の前記動作情報に基づいて、当該再生装置が映像再生可能な状態にあるか否かを判別し、前記再生装置が映像再生可能な状態にある場合、前記再生装置への前記広告コンテンツの送信を前記送信部に行わせ、前記再生装置が映像再生可能な状態にない場合、前記蓄積部に蓄積することができる。これにより、広告にあった再生装置が映像再生可能な状態にない場合でも、後になって広告コンテンツを当該再生装置に再生させることが可能となる。
【００１３】
（６）前記制御部は、前記広告コンテンツに基づいて、当該広告コンテンツを再生させる前記再生装置の候補を前記再生装置群から決定し、決定した候補の前記動作情報に基づいて、当該候補が映像再生可能な状態にあるか否かを判別し、前記候補が映像再生可能な状態にある場合、前記広告コンテンツを再生させる前記再生装置に前記候補を決定し、前記候補が映像再生可能な状態にない場合、前記広告コンテンツを再生させる前記再生装置に、前記再生装置群に含まれる前記候補以外の前記再生装置を決定することができる。これにより、候補装置が映像再生可能な状態にない場合でも、他の再生装置に広告コンテンツを再生させることが可能となる。
【発明の効果】
【００１４】
本発明によれば、複数の再生装置を含む再生装置群における広告コンテンツの再生方法を適切に制御することができる。
【図面の簡単な説明】
【００１５】
【図１】ホームネットワークの一例を示す図である。
【図２】本発明の一実施形態に係るホームゲートウェイの構成を示すブロック図である。
【図３】記憶部に記憶されたデータベースの一例を示す図である。
【図４】中継制御部が行う広告映像データの中継処理の一例を示すフローチャートである。
【発明を実施するための形態】
【００１６】
図１は、ホームネットワークＮの一例を示す図である。図１に示すように、ホームネットワークＮは、例えば、ユーザの住宅Ｈ内に構築されており、図示しない終端装置を介してＩＰ網等の通信ネットワーク１に接続されたホームゲートウェイ２を備えている。ホームゲートウェイ２（以下、ＨＧＷ２ともいう）には、パソコン３や、フォトフレーム４、ＰＤＡ（Personal Digital Assistant）５、テレビ６等が有線ＬＡＮ又は無線ＬＡＮによって通信可能に接続されており、これら各機器によって、ホームネットワークＮは構成されている。
【００１７】
ＨＧＷ２は、通信ネットワーク１に接続するインターフェースを有する他、パソコン３やテレビ６等のホームネットワークＮを構成する各機器が接続される有線ＬＡＮ又は無線ＬＡＮによるインターフェースを有しており、各機器の相互間通信を制御する機能を有するとともに、各機器が通信ネットワーク１を介して行う外部とのデータ通信に関して、中継制御する中継装置としての機能を有している。
【００１８】
通信ネットワーク１には、地上デジタル放送、ＢＳデジタル放送、ＶＯＤ（Video On Demand）等の映像コンテンツに係る映像データを送信する送信サーバ７や、同じく映像コンテンツに係る映像データを送信するＣＤＮ（Contents Delivery Network）８等が接続されている。
また、通信ネットワーク１には、ＤＲＭ（Digital Rights Management）サーバ９や、各家庭の映像再生機器に対して広告コンテンツに係る広告映像データを配信する広告サーバ１０も接続されている。
なお、ここで、広告映像データとは、広告を主目的として独立して配信される広告コンテンツのための映像データであり、音声や静止画、テキスト、その他のデータを含んでよい。さらに広告映像データは、広告自体のデータに加えて、その広告の配布条件を示す広告条件データを含むことができる。広告条件データは、対象となるユーザの性別、年齢などのターゲットデータや、その広告を再生するときの再生条件、その広告の再生可能期間などのデータを含むことができる。広告映像データはストリームとして供給されてもダウンロードデータとして供給されてもよい。広告映像データ（全体またはその一部）によって表される広告は、送信サーバ７やＣＤＮ８が配信する番組等の映像コンテンツの合間に表示再生されたり、前記映像コンテンツの再生中に重ねて表示されたりする。
【００１９】
ユーザは、コンテンツ再生機器である、パソコン３や、フォトフレーム４、ＰＤＡ５、テレビ６を用いて、送信サーバ７や、ＣＤＮ８から配信されるコンテンツを受信することで映像コンテンツを視聴することができる。機器によって表示解像度や再生可能形式が異なっており、広告コンテンツの対象となるユーザは、パソコン３を用いることもあれば、テレビ６を用いることもある。スマートフォンやタブレット端末をコンテンツ再生機器として用いることもできる。
送信サーバ７や、ＣＤＮ８が送信する映像データは、通信ネットワーク１を介してＨＧＷ２によって受信される。ＨＧＷ２は、受信した映像データを中継し、各再生機器に対して送信する。
【００２０】
図２は、本発明の一実施形態に係るＨＧＷ２の構成を示すブロック図である。図２に示すように、ＨＧＷ２は、通信ネットワーク１に接続するための第一ＩＦ部２１と、ホームネットワークＮの各機器に接続するための第二ＩＦ部２２と、各種映像データの配信先の制御を行う中継制御部２３とを備えている。
また、ＨＧＷ２は、各種映像データを配信先の映像再生機器の再生可能な映像データの形式の映像データに変換する機能を有するトランスコーダ２４と、ＤＲＭによる再生制限を解除する機能を有する制限解除部２５とを備えている。
【００２１】
また、ＨＧＷ２は、ホームネットワークＮに含まれる機器の一部又は全部からその動作状態を示す動作情報を取得する取得部２６と、動作情報や各機器のユーザ情報など、機器に関するデータベースを記憶する記憶部２７とを備えている。
さらに、ＨＧＷ２は、必要に応じて、広告サーバ１０から送信された広告映像データを蓄積するためのデータ蓄積部２８を備えている。
【００２２】
取得部２６は、各機器の動作情報として、当該機器の再生可能形式情報、広告配信許可の有無などを収集することができる。収集した各情報は、記憶部２７のデータベースに登録される。
図３は、記憶部２７に記憶されたデータベースの一例を示す図である。図３に示すように、本データベースは、上記各情報が、ホームネットワークＮの各機器それぞれに割り当てられるアドレス情報ごとに対応付けられている。
【００２３】
動作情報は、各機器が広告コンテンツを再生可能に動作している状態であるか否かを示す情報を含むことができ、例えば、取得部２６が各機器に対して映像再生可能に動作しているか否かを確認するための確認信号を送信し、その応答に基づいて取得される。
各機器は、確認信号を受信したときに映像再生可能に動作している場合には、その旨の応答信号を取得部２６に送信する。一方、確認信号を受信したときに映像再生できない状態である場合には、応答信号を送信しない。これによって、取得部２６は、例えば、応答信号を受信した機器については、映像再生可能に動作している状態である「動作状態」と認識し、応答信号を受信しない機器については、映像再生できない状態である「停止状態」と認識する。
【００２４】
再生可能形式情報は、各機器が再生可能な映像データのデータ形式（再生可能形式）を示す情報を含むことができ、図３に示すように、例えば、符号化方式（例えば、ＭＰＥＧ２）、ビットレート（例えば、１２Ｍｂｐｓ）、フレームレート（例えば、３０ｆｐｓ）、解像度（例えば、１９２０×１０８０）、アスペクト比（例えば、１６：９）、ストリームフォーマット（例えば、ＴＳ）といった情報が含まれている。
【００２５】
なお、再生可能形式情報を構成する各情報は、各機器が再生可能な値の範囲、あるいは複数の形式で表されることがある。通常、映像を再生する機器は、再生可能形式において、許容範囲が設けられている場合があるからである。
【００２６】
取得部２６は、上記再生可能形式情報を取得するために、各機器それぞれに対して情報の送信を要求することもできるし、各機器が送信サーバ７やＣＤＮ８に対して送信する映像コンテンツの視聴を要求するための要求信号に、再生可能形式情報が含まれている場合には、前記要求信号から再生可能形式情報を取得することもできる。
さらに、取得部２６は、送信サーバ７やＣＤＮ８から機器に向けて送信される映像データを取得し、解析することで、上記再生可能形式情報を取得することもできる。
【００２７】
記憶部２７には履歴情報を記憶することもできる。履歴情報とは、各機器が過去に再生した映像データの情報であり、広告コンテンツ以外の「過去に再生した映像コンテンツの情報」それぞれについて、再生可能形式情報や、コンテンツの内容に関する情報を含めることができる。
取得部２６は、各機器に送信される各情報を取得しつつ監視することで、再生可能形式情報や、コンテンツの内容に関する情報を取得する。なお、取得部２６は、動作情報及び履歴情報を継続的に取得し、記憶部２７のデータベースに登録することができる。
【００２８】
アドレス情報としては、例えば、各機器に割り当てられたＩＰアドレスが登録されており、アドレス情報によって各機器の識別が可能である。
このようにして、記憶部２７のデータベースには、各機器の上記各情報が、ホームネットワークＮの機器ごとに対応付けて登録されている。
【００２９】
図２に戻って、中継制御部２３は、通信ネットワーク１を介して送信サーバ７やＣＤＮ８から送信される映像データを、所定の機器に配信されるように中継する機能を有している。
また、中継制御部２３は、ＣＰＵ等の演算処理装置により実現でき、広告サーバ１０から広告映像データが配信されると、取得部２６によって取得された動作情報および広告映像データに基づいて、当該広告映像データを再生させる機器を決定する機能を有している。中継制御部２３は、第二ＩＦ部２２により、決定した機器に当該広告映像データを送信する。さらに、中継制御部２３は、その機器に広告映像データを送信する時期を決定する機能を有している。
また、中継制御部２３は、決定した機器が映像再生可能な状態にない場合に、広告映像データをデータ蓄積部２８に一時的に蓄積する機能を有している。さらに中継制御部２３は、広告映像データを送信する際、必要に応じてトランスコーダ２４を使用する。
【００３０】
トランスコーダ２４は、中継制御部２３が中継する映像データを、中継先の機器の再生可能な映像データの形式に変換する。トランスコーダ２４は、映像データ又は広告映像データが中継制御部２３から与えられると、当該映像データ又は広告映像データの宛先となる機器の再生可能形式情報を記憶部２７のデータベースから取得し、取得した再生可能形式情報に基づいて映像データ又は広告映像データのデータ形式を変換する。
【００３１】
制限解除部２５は、ＤＲＭによる再生制限を解除する。制限解除部２５は、例えば、ユーザがＤＲＭによって再生制限されている映像コンテンツの視聴をする際、当該ユーザの操作に応じてＤＲＭサーバ９から解除キーの送信を要求する。この解除キーは、上記映像コンテンツの再生制限を解除するためのデータである。
制限解除部２５は、ＤＲＭサーバ９から送信される解除キーを受信すると、この解除キーを用いて上記映像コンテンツの再生制限を解除し、第二ＩＦ部２２に出力する。
制限解除部２５は、再生制限を解除する必要のない映像データや広告映像データが与えられると、これらデータについては、特に処理することなく第二ＩＦ部２２に出力する。
【００３２】
制限解除部２５が出力した映像データ及び広告映像データは、第二ＩＦ部２２を介して、宛先として設定された所定の機器それぞれに送信される。
【００３３】
次に、本実施形態のＨＧＷ２の中継制御部２３が行う広告映像データの中継処理について説明する。
図４は、中継制御部２３が行う広告映像データの中継処理の一例を示すフローチャートである。
中継制御部２３は、後に説明するように、広告映像データを中継する対象の機器が映像再生可能な状態にない場合には、当該広告映像データをデータ蓄積部２８に蓄積する。中継制御部２３は、広告映像データをデータ蓄積部２８に蓄積すると、蓄積してからの経過時間Ｔを計時するとともに、当該広告映像データに付随する有効期限に関する情報を管理する。
このため、中継制御部２３は、まずデータ蓄積部２８に広告映像データが蓄積されていないか否かを判断する（ステップＳ１）。
【００３４】
ステップＳ１において、広告映像データが蓄積されていると判断した場合、中継制御部２３は、経過時間Ｔが予め定められた所定時間を経過したか否かを判断する（ステップＳ２）。
経過時間Ｔが所定時間を経過していると判断すると、中継制御部２３は、当該広告映像データの有効期限に関する情報を参照し、この広告映像データの有効期限が経過していないか否かを判断する（ステップＳ３）。
ステップＳ３において、有効期限が経過していないと判断すると、中継制御部２３は、データ蓄積部２８に蓄積された広告映像データを取得し（ステップＳ４）、ステップＳ７に進む。これによって、中継制御部２３は、データ蓄積部２８に蓄積されていた広告映像データについての再度の中継処理を行う。
【００３５】
一方、ステップＳ１において、広告映像データが蓄積されていないと判断した場合、中継制御部２３は、広告サーバ１０から広告映像データが配信されているか否かを判断する（ステップＳ５）。
また、ステップＳ２において経過時間Ｔが前記所定時間を経過していないと判断した場合、中継制御部２３は、ステップＳ５に進む。
さらに、ステップＳ３において、有効期限が経過していると判断すると、中継制御部２３は、データ蓄積部２８に蓄積されている有効期限が経過している広告映像データを消去し（ステップＳ６）、ステップＳ５に進む。
【００３６】
ステップＳ５において、広告サーバ１０から広告映像データが配信されていると判断すると、中継制御部２３は、ステップＳ７に進み、自装置に接続することでホームネットワークＮを構成する各機器の動作情報を取得する（ステップＳ７）。
【００３７】
ステップＳ５において、広告サーバ１０から広告映像データが配信されていないと判断すると、中継制御部２３は、処理を終えてスタートに戻る。現状、各機器に配信すべき広告映像データが存在しないからである。
【００３８】
中継制御部２３は、ステップＳ７において各機器の動作情報を取得すると、その動作情報を参照し、映像再生可能に動作している状態の機器が有るか否かを判断する（ステップＳ８）。映像再生可能に動作している機器は、電源がオンされている機器であってもよいし、電源がオンされていて広告映像データを受信可能な状態の機器であってもよい。
【００３９】
ステップＳ８において、例えば、各機器の全てが「停止状態」である場合、中継制御部２３は、広告映像データをデータ蓄積部２８に蓄積し（ステップＳ９）、処理を終える。各機器の全てが広告映像データを受信して映像を再生可能な状態にないため、広告映像データを送信したとしても、ユーザに閲覧させることができないからである。なお、各機器の全てが停止状態でなくても、例えば広告条件に合致する機器の一部または全てが停止状態にある場合に、広告映像データを蓄積するようにしてもよい。
【００４０】
ステップＳ８において、動作状態の機器があると判断すると、さらに中継制御部２３は、その機器の中に、中継しようとしている広告映像データのデータ形式を再生することができる機器が有るか否かを判断する（ステップＳ１０）。
中継制御部２３は、広告映像データの現状のデータ形式に関する情報を取得し、再生可能形式情報と比較することで、各機器（ステップＳ８で特定された機器）が、現状のデータ形式の広告映像データが再生可能か否かを判断する。中継制御部２３は、トランスコーダ２４によるデータ形式の変換も考慮して、広告映像データが再生可能か否かを判断することができる。
【００４１】
ステップＳ１０において、現状のデータ形式の広告映像データが再生可能な機器がないと判断すると、中継制御部２３は、ステップＳ９に進み、広告映像データをデータ蓄積部２８に蓄積し（ステップＳ９）、処理を終える。上記同様、広告映像データを再生可能な機器がないため、広告映像データを送信したとしても、ユーザに閲覧させることができないからである。
【００４２】
ステップＳ１０において、現状のデータ形式の広告映像データが再生可能な機器が有ると判断すると、さらに中継制御部２３は、その機器の中に、例えばそのユーザが、広告映像データのターゲットユーザ等と適合するか否かや、その機器が広告配信を許可しているか否かを判断する（ステップＳ１１）。
【００４３】
機器のユーザ情報や広告配信許可の情報は予め記憶部２７に登録しておいてもよいし、中継制御部２３が動作状態の機器に必要に応じて問合せるようにしてもよい。広告映像データのターゲットユーザの情報には、上述した年齢・性別のほか、ユーザの希望商品、関心分野等の情報が含まれてもよい。
【００４４】
ステップＳ１１において、広告映像データと適合する機器がないと判断すると、中継制御部２３は、ステップＳ９に進み、広告映像データをデータ蓄積部２８に蓄積し（ステップＳ９）、処理を終える。
【００４５】
ステップＳ１１において、広告映像データと適合する機器が有ると判断すると、中継制御部２３は、その機器を特定するとともに、特定した機器に対して広告映像データを送信し（ステップＳ１２）、処理を終える。
【００４６】
上記構成のＨＧＷ２によれば、中継制御部２３が、ホームネットワークに含まれる再生機器からその動作情報を取得し、動作情報に基づいてホームネットワークにおける広告コンテンツの再生方法（再生機器や送信時期）を決定するため、当該広告コンテンツをホームネットワークにおいて適切に再生することができる。
【００４７】
なお、本発明は、上記実施形態に限定されることはない。上記実施形態では、図４の中継処理においては、前記ステップＳ８，Ｓ１０，Ｓ１１の内、少なくとも１つのステップのみを含んで構成されていればよい。
【００４８】
また上記実施形態では、ステップＳ８，Ｓ１０，Ｓ１１に適合していない場合（Ｎｏの場合）、広告映像データをデータ蓄積部２８に蓄積していたが、これに限られるものではない。例えばターゲット外の機器でも、その機器が動作状態にあるならば、ターゲット機器が動作状態になるまでデータ蓄積部２８に広告映像データを蓄積しておくのに代えて、当該広告映像データをターゲット外の機器に送信するようにしてもよい。
【００４９】
さらに上記実施形態では、本発明の広告再生制御装置をホームゲートウェイに適用したが、これに限られるものではない。テレビやパソコンなどの再生機器自体に本発明を適用することも可能である。また本発明の広告再生制御装置はプログラムを用いて実現することもできる。
【００５０】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００５１】
２    ホームゲートウェイ（中継装置）
３    パソコン
４    フォトフレーム
５    ＰＤＡ
６    テレビ
２３  中継制御部
２６  取得部
２８  データ蓄積部
【図１】
2013090191.tif 000003
【図２】
2013090191.tif 000004
【図３】
2013090191.tif 000005
【図４】
2013090191.tif 000006